(57)【特許請求の範囲】
【請求項１】
ローカルＩＰアクセス接続プロパティのお知らせ方法であって、
移動性管理実体は、接続確立の過程の中で、ユーザ端末に前記接続の接続プロパティを知らせることを含んでいることを特徴とするお知らせ方法。
【請求項２】
前記接続は、コアネットワーク接続或いはローカルＩＰアクセスユーザローカルネットワーク接続と、ローカルＩＰアクセス会社ローカルネットワーク接続と、ローカルＩＰアクセスインターネット接続と、インターネット業務のトラフィックオフロード作業接続及び特定のＩＰトラフィックオフロード接続とを含むことを特徴とする請求項１に記載の方法。
【請求項３】
前記接続の接続プロパティは、ＬＩＰＡ接続、或いはコアネットワーク接続、或いはインターネットＬＩＰＡ接続、或いはホーム用ネットワークＬＩＰＡ接続、或いはユーザローカルＬＩＰＡ接続、或いは企業ネットワークのローカルＬＩＰＡ接続、或いはインターネット業務のトラフィックオフロード作業接続、或いは特定のＩＰトラフィックオフロード接続であり、及び／または前記接続が移動性をサポートするかどうかを特徴とする請求項１に記載の方法。
【請求項４】
前記接続の接続プロパティは、アタッチ受付メッセージに搭載され、或いはＰＤＮ接続の接続受付メッセージに搭載され、或いはＥＰＳ独自のベアラコンテキストの活性化メッセージに搭載され、或いはＥＰＳデフォルトベアラコンテキストの活性化メッセージに搭載され、或いはパケットデータプロトコルＰＤＰコンテキストの活性化受付メッセージに搭載され、或いはパケットデータプロトコルＰＤＰコンテキストの二次活性化受付メッセージに搭載され、または、前記接続の接続プロパティとして設置する専用ベアラメッセージに搭載されていることを特徴とする請求項１〜３のいずれか１項に記載の方法。
【請求項５】
前記接続の接続プロパティは、具体的にアタッチ受付メッセージにおける進化パケットシステムＥＰＳの付着結果フィールドに搭載され、或いはＥＰＳのデフォルトベアラコンテキストの活性化メッセージにおける原因値フィールドに搭載され、或いはＥＰＳ独自のベアラコンテキストの活性化メッセージにおける新しい原因値フィールドに搭載され、或いはパケットデータプロトコルＰＤＰのコンテキスト活性化受付メッセージにおける原因値フィールドに搭載され、或いはパケットデータプロトコルＰＤＰのコンテキストの二次活性化受付メッセージにおける新しい原因値フィールドに搭載され、または、前記アタッチ受付メッセージ、前記ＥＰＳデフォルトベアラコンテキストの活性化メッセージ、前記ＥＰＳ独自のベアラコンテキストの活性化メッセージ、パケットデータプロトコルＰＤＰのコンテキストの活性化受付メッセージ或いはパケットデータプロトコルＰＤＰのコンテキストの二次活性化受付メッセージにおける新しい専用フィールドに搭載されていることを特徴とする請求項４に記載の方法。
【請求項６】
前記移動性管理実体は、前記接続の接続プロパティを確定してから、前記接続の接続プロパティを記憶することを特徴とする請求項５に記載の方法。
【請求項７】
前記ユーザ端末は、前記移動性管理実体或いはローカルアクセスゲートウェイから受信した前記接続の接続プロパティを記憶することを特徴とする請求項６に記載の方法。
【請求項８】
前記接続は、ＰＤＮ接続或いはＰＤＮ接続におけるベアラであることを特徴とする請求項７に記載の方法。
【請求項９】
前記ＰＤＮ接続の確立過程は、ユーザ付着過程と、前記ユーザ端末から起動したＰＤＮ
接続の確立過程と、パケットデータプロトコルＰＤＰコンテキストの活性化過程とを含むことを特徴とする請求項８に記載の方法。
【請求項１０】
前記ＰＤＮ接続におけるベアラの確立過程は、独自のベアラの確立過程と、端末から起動したリソース改正過程と、ＰＤＰコンテキストの二次活性化過程とを含むことを特徴とする請求項９に記載の方法。
【請求項１１】
前記移動性管理実体は、移動管理エンティティＭＭＥと、モバイルスイッチングセンターＭＳＣ或いはサービスＧＰＲＳサポートノードＳＧＳＮとを含むことを特徴とする請求項６に記載の方法。
【請求項１２】
前記ＬＩＰＡ接続は、インターネットＬＩＰＡ接続或いはホームネットワークＬＩＰＡ接続と、或いはユーザローカルＬＩＰＡ接続或いは企業ネットワークローカルＬＩＰＡ接続と、或いはインターネット業務のトラフィックオフロード作業接続と、或いは特定のＩＰトラフィックオフロード接続とを含むことを特徴とする請求項３に記載の方法。
【請求項１３】
ローカルＩＰのアクセス接続プロパティのお知らせ装置であって、
確定ユニットとお知らせユニットを含み、
接続の確立過程の中で、ユーザ端末に前記接続の接続プロパティを確定することに用いられる確定ユニットと、
前記接続の接続プロパティを前記ユーザ端末に知らせることに用いられるお知らせユニットとを含むことを特徴とするお知らせ装置。
【請求項１４】
前記接続は、コアネットワーク接続或いはローカルＩＰアクセスユーザローカルネットワーク接続と、ローカルＩＰアクセス会社ローカルネットワーク接続と、ローカルＩＰアクセスインターネット接続と、インターネット業務のトラフィックオフロード作業接続と、特定のＩＰトラフィックオフロード接続とを含むことを特徴とする請求項１３に記載の装置。
【請求項１５】
前記接続の接続プロパティは、ＬＩＰＡ接続、或いはコアネットワーク接続、或いはインターネットＬＩＰＡ接続、或いはホームネットワークＬＩＰＡ接続、或いはユーザローカルＬＩＰＡ接続、或いは企業ネットワークローカルＬＩＰＡ接続、或いはインターネット業務のトラフィックオフロード作業接続、或いは特定のＩＰトラフィックオフロード接続であり、及び／または前記接続が移動性をサポートするかどうかを特徴とする請求項１３に記載の装置。
【請求項１６】
前記お知らせユニットは、さらに、
前記接続の接続プロパティをアタッチ受付メッセージに搭載し、或いはＰＤＮ接続の接続受付メッセージに搭載し、或いはＥＰＳ独自のベアラコンテキストの活性化メッセージに搭載し、或いはＥＰＳデフォルトベアラコンテキストの活性化メッセージに搭載し、或いはＰＤＰコンテキストの活性化受付メッセージに搭載し、或いはＰＤＰコンテキストの二次活性化受付メッセージに搭載され、或いは前記接続の接続プロパティに設置した専用ベアラメッセージに搭載していることに用いられる搭載モジュールと、
前記接続またはベアラの接続プロパティを搭載するメッセージを送信することに用いられる送信モジュールとを含むことを特徴とする請求項１３〜１５のいずれか１項に記載の装置。
【請求項１７】
前記搭載モジュールは、さらに、前記接続の接続プロパティをアタッチ受付メッセージにおけるＥＰＳ付着結果フィールドに搭載し、或いはＥＰＳデフォルトベアラコンテキストの活性化メッセージにおける原因値フィールドに搭載し、或いはＥＰＳ独自のベアラコンテキストの活性化メッセージにおける新しい原因値フィールドに搭載し、或いはＰＤＰコンテキストの活性化受付メッセージにおける原因値フィールドに搭載し、或いはＰＤＰコンテキストの二次活性化受付メッセージにおける新しい原因値フィールドに搭載し、或いは前記アタッチ受付メッセージ、或いは前記ＥＰＳデフォルトベアラコンテキストの活性化メッセージ、或いは前記ＥＰＳ独自のベアラコンテキストの活性化メッセージ、或いはＰＤＰコンテキストの活性化受付メッセージ、或いはＰＤＰコンテキストの二次活性化受付メッセージにおける新しい専用フィールドに搭載していることを特徴とする請求項１６に記載の装置。
【請求項１８】
前記接続は、ＰＤＮ接続或いはＰＤＮ接続におけるベアラであり、前記ＰＤＮ接続の確立過程は、ユーザ付着過程と、前記ユーザ端末から起動したＰＤＮ接続の確立過程と、ＰＤＰコンテキストの活性化過程とを含み、
前記ＰＤＮ接続におけるベアラの確立過程は、独自のベアラの確立過程と、ユーザ端末から起動したリソース改正過程と、ＰＤＰコンテキストの二次活性化過程とを含むことを特徴とする請求項１７に記載の装置。
【発明の詳細な説明】
【発明の詳細な説明】
【０００１】
〔技術分野〕
本発明は、接続プロパティの確定及び通知技術に関し、特に、ローカルＩＰ（Internet Protocol）アクセス接続プロパティのお知らせ方法及び装置に関するものである。
〔背景技術〕
第３世代パートナーシップ・プロジェクト（３ＧＰＰ：3rd Generation Partnership Project）の進化したパケットシステム（ＥＰＳ：Evolved Packet System）は、進化したユニバーサル地上無線アクセスネットワーク（Ｅ−ＵＴＲＡＮ：Evolved Universal Terrestrial Radio Access Network）、移動管理エンティティ（ＭＭＥ：Mobility Management Entity）、サービングゲートウェイ（Ｓ−ＧＷ：Serving Gateway）、パケットデータ
ネットワークゲートウェイ（Ｐ−ＧＷ或いはＰＤＮ  ＧＷ：Packet Data Network Gateway）、ホーム加入者サーバ（ＨＳＳ：Home Subscriber Server）、３ＧＰＰの認証・許可
・アカウンティング（ＡＡＡ：Authentication，Authorization and Accounting）サーバ、ポリシー及び課金ルール機能（ＰＣＲＦ：Policy and Charging Rules Function）エンティティ及び他のサポートノードからなる。
【０００２】
図１は、ＥＰＳのシステムアーキテクチャの模式図であり、図１に示すように、ＭＭＥは、移動性管理、非アクセス層シグナリングの処理及びユーザ移動性管理コンテキストの管理等の制御点の関連作業を担当し、アクセスゲートウェイは、Ｓ−ＧＷとＰ−ＧＷを含み、そのうち、Ｓ−ＧＷがＥ−ＵＴＲＡＮに連続するアクセスゲートウェイ機器であり、Ｅ−ＵＴＲＡＮとＰ−ＧＷの間にデータを転送し、且つキャッチホンデータに対してキャッシュを行うことを担当し、Ｐ−ＧＷは、ＥＰＳがパケットデータネットワーク（ＰＤＮ：Packet Data Network）ネットワークのボーダーゲートウェイであり、ＰＤＮのアクセ
ス及びＥＰＳとＰＤＮの間にデータを転送する等の機能を担当し、認証・許可サーバは、ＨＳＳ及び３ＧＰＰ  ＡＡＡ等を含み、ＰＣＲＦは、ポリシーおよび課金ルール機能エンティティであり、受信インタフェースＲｘによってオペレータＩＰサービスネットワークと接続し、サービスの情報を取得し、さらに、Ｇｘ／Ｇｘａ／Ｇｘｃインタフェースによってネットワークにおけるゲートウェイ機器と接続し、ＩＰベアラの確立を起動することを担当し、サービスデータのサービス品質（ＱｏＳ：Quality of Service）を確保してアカウンティング制御を行う。
【０００３】
新しいアクセスサービス方式の１種類として、ホーム基地局は、小型、低消費電力の基地局であり、宅内及びオフィス等の室内場所に位置しており、主な作用は、ユーザにより高いサービス速率を提供して、高速率サービスを使用する際に必要な費用を削減するとともに、従来の分散型セルラー無線通信システムのカバレッジの不足を補足する。ホーム基地局は、実用的で、便利で、低消費電力出力、プラグアンドプレイ等のメリットを有する。
【０００４】
ホーム基地局は、直接にコアネットワークに接続することができ、図１に示すように、ホーム基地局のゲートウェイのようなロジックネットワークエレメントによってコアネットワークにアクセスすることもでき、その中に、ホーム基地局ゲートウェイの主な機能は、ホーム基地局の安全性を検証し、ホーム基地局の登録を処理し、ホーム基地局について運転・メンテナンス及び管理を行っており、オペレータ要求に応じてホーム基地局を配置して制御し、コアネットワークとホーム基地局の間のデータを交換することを担当する。アクセスゲートウェイがＳ−ＧＷ、Ｐ−ＧＷ、サービスＧＰＲＳサポートノード（ＳＧＳＮ：Serving GPRS Support Node）、ゲートウェイＧＰＲＳサポートノード（ＧＧＳＮ：Gateway GPRS Support Node）であってもよい。ローカルアクセスゲートウェイは、ローカルＳＧＷ（Ｌ−ＳＧＷ：Local SGW）、ローカルＰＧＷ（Ｌ−ＰＧＷ：Local PGW）、バーチャルＳＧＷ（Ｖ−ＳＧＷ：Virtual SGW）、バーチャルＰＧＷ（Ｖ−ＰＧＷ：Virtual PGW）、ローカルＧＧＳＮ（Ｌ−ＧＧＳＮ：Local GGSN）であってもよく、さらに、トラフィックオフロード機能エンティティであってもよい。ローカルアクセスゲートウェイは、無線側ネットワークエレメントと共同して設置され、又は無線側ネットワークエレメントの近傍に設置され、ホーム基地局のゲートウェイと共同して設置され、又はホーム基地局のゲートウェイの近傍に設置されることもできる。
【０００５】
図２は、ローカルＩＰアクセス及び従来のコアネットワークＩＰアクセスのデータストリームの経路模式図であり、図２に示すように、ローカルＩＰアクセス（ＬＩＰＡ：Local IP Access）機能を実現し、ＵＥがホーム用ネットワークの他のＩＰ機器或いはインタ
ーネットへのローカルアクセスを実現させるために、ローカルアクセスゲートウェイを増設しており、ローカルアクセスゲートウェイの増設は、ローカルＩＰアクセス技術に対する強力なサポートを提供でき、ローカルアクセスゲートウェイは、無線側ネットワークエレメントと共同して設置され、又は無線側ネットワークエレメントの近傍に設置され、ホーム基地局のゲートウェイと共同して設置され、又はホーム基地局のゲートウェイの近傍に設置されることもできる。ローカルＩＰアクセスをサポートするユーザに対して、従来のコアネットワークＩＰアクセスのデータ経路及びローカルＩＰアクセスのデータ経路を確立することができる。ローカルＩＰアクセスの接続については、ローカルＩＰアクセスデータ経路が、ＵＥから無線側ネットワークエレメント／ホーム基地局ゲートウェイまで、またローカルアクセスゲートウェイ（Ｌ−ＳＧＷ、Ｌ−ＰＧＷ）に到達し、データの伝送がコアネットワークを経ていない。ＵＥがホーム用ネットワークの他のＩＰ機器或いはインターネットへのローカルアクセスを実現させるために、２つの接続を確立することができ、第１ローカルＩＰアクセスデータ経路は、直接にインターネット（インターネットＬＩＰＡ接続）をアクセスしている。第２ローカルＩＰアクセスデータ経路は、直接にホームネットワークの他のＩＰ機器（ホームネットワークＬＩＰＡ接続）をアクセスしている。
【０００６】
ＵＥユーザは、自分の希望に応じて主動にＬＩＰＡ接続を確立することを要求し、例えば、特定のアクセスネットワークによってコアネットワークにＬＩＰＡ接続を確立する必要があることを知らせ、このとき、移動性管理実体は、ユーザの契約、無線側ネットワークエレメント／ホーム基地局ゲートウェイの能力に基づいて、ユーザの今回の要求にＬＩＰＡ接続を確立することができるかどうかを判断し、ＬＩＰＡ接続を確立できないと、直接にコアネットワーク接続を確立することができる。ＵＥは、通常のアクセスネットワークを用いて業を起動させてもよく、移動性管理実体によりオペレータ策略、契約、及び、無線側ネットワークエレメント／ホーム基地局ゲートウェイの能力に基づいて、ユーザの先の要求にＬＩＰＡ接続を確立するかコアネットワーク接続を確立するかを直接に決める。移動性管理実体は、ユーザにＬＩＰＡ接続を確立することを決めた後に、さらに、ユーザに確立したＬＩＰＡ接続が移動性（即ち業務連続性）をサポートするかどうかを検査する必要がある。
【０００７】
しかしながら、ＵＥについて、現在の接続のプロパティを分らなく、即ち現在の接続がローカルＩＰアクセス接続であるかコアネットワーク接続であるかを分らなく、ローカルＩＰアクセス接続であっても、該ローカルＩＰアクセス接続が移動性をサポートするかどうかを分らない。ＵＥは、アイドル状態で移動した後、またサービス要求を起動する必要もあるときに、コアネットワーク接続或いは移動性をサポートするＬＩＰＡ接続のみがアクティブされていることができ、ユーザが切り替えられた場合、コアネットワーク接続或いは移動性をサポートするＬＩＰＡ接続のみが、新しい基地局に切り替えることができ、移動性をサポートしないＬＩＰＡ接続に対して、ＵＥは、新しい基地局で確立を再起動するため、確立したどちらの接続がＬＩＰＡ接続であるか、どちらのＬＩＰＡ接続が移動性をサポートしないことを分る必要があって、ＵＥが移動した後に、適切な操作を終了させるようにする。
〔発明の開示〕
〔発明が解決しようとする課題〕
本発明は、これに鑑みて、主な目的は、ＵＥの現在の接続のプロパティをＵＥに知らせ、ＵＥが切り替え作業を容易に行わせることができるローカルＩＰアクセス接続プロパティのお知らせ方法及び装置を提供することにある。
〔課題を解決するための手段〕
上記目的を達成するために、本発明の技術方案は、このようにして実現されるものである。
【０００８】
ローカルＩＰアクセス接続プロパティのお知らせ方法であって、
パケットデータネットワークＰＤＮの接続またはベアラ確立の過程の中で、移動性管理実体は、前記ユーザ端末に前記ＰＤＮ接続またはベアラの接続プロパティを知らせることを含んでいる。
【０００９】
前記ＰＤＮ接続の確立過程は、ユーザ付着過程と、前記ユーザ端末から起動したＰＤＮ接続の確立過程と、パケットデータプロトコル（ＰＤＰ：Packet Data Protocol）コンテキストの活性化過程を含むことが好ましい。
【００１０】
前記ベアラの確立過程は、独自のベアラの確立過程と、端末から起動したリソース改正過程と、ＰＤＰコンテキストの二次活性化過程とを含むことが好ましい。
【００１１】
前記接続は、ＰＤＮ接続或いはＰＤＮ接続におけるベアラであってもよいことが好ましい。
【００１２】
前記接続は、コアネットワーク接続或いはローカルＩＰアクセスＬＩＰＡ接続を含むことが好ましい。
【００１３】
前記接続の接続プロパティは、ＬＩＰＡ接続、或いはコアネットワーク接続、或いはインターネットＬＩＰＡ接続、或いはホームネットワークＬＩＰＡ接続、或いはユーザローカルＬＩＰＡ接続、或いは企業ネットワークローカルＬＩＰＡ接続、或いはインターネット業務のトラフィックオフロード作業接続、或いは特定のＩＰトラフィックオフロード接続であり、及び／または前記接続が移動性をサポートするかどうかであることが好ましい。
【００１４】
前記接続の接続プロパティは、付着し受けメッセージ（アタッチ受付メッセージ）に搭載され、或いはＰＤＮ接続の確立受けメッセージ（接続受付メッセージ）に搭載され、或いはＥＰＳデフォルトベアラコンテキストの活性化メッセージに搭載され、或いはＥＰＳ独自のベアラコンテキストの活性化メッセージに搭載され、或いはパケットデータプロトコルＰＤＰコンテキストの活性化受けメッセージ（活性化受付メッセージ）に搭載され、或いはパケットデータプロトコルＰＤＰコンテキストの二次活性化受けメッセージ（二次活性化受付メッセージ）に搭載され、または、前記接続の接続プロパティに設置する専用ベアラメッセージに搭載されることが好ましい。
【００１５】
前記接続の接続プロパティは、具体的に付着し受けメッセージにおける進化パケットシステムＥＰＳの付着結果フィールドに搭載され、或いはＥＰＳのデフォルトベアラコンテキストの活性化メッセージにおける原因値フィールドに搭載され、或いはＥＰＳ独自のベアラコンテキストの活性化メッセージにおける新しい原因値フィールドに搭載され、或いはパケットデータプロトコルＰＤＰのコンテキスト活性化受けメッセージにおける原因値フィールドに搭載され、或いはパケットデータプロトコルＰＤＰのコンテキストの二次活性化受けメッセージにおける新しい原因値フィールドに搭載され、または、前記付着し受けメッセージ、前記ＥＰＳデフォルトベアラコンテキストの活性化メッセージ、前記ＥＰＳ独自のベアラコンテキストの活性化メッセージ、パケットデータプロトコルＰＤＰのコンテキストの活性化受けメッセージ或いはパケットデータプロトコルＰＤＰのコンテキストの二次活性化受けメッセージにおける新しい専用フィールドに搭載されることが好ましい。
【００１６】
前記移動性管理実体は、前記接続の接続プロパティを確定してから、前記接続の接続プロパティを記憶することが好ましい。
【００１７】
前記ユーザ端末は、前記移動性管理実体或いはローカルアクセスゲートウェイから受信した前記接続の接続プロパティを記憶することが好ましい。
【００１８】
前記移動性管理実体は、移動管理エンティティＭＭＥと、モバイルスイッチングセンターＭＳＣ或いはサービスＧＰＲＳサポートノードＳＧＳＮを含むことが好ましい。
【００１９】
前記ＬＩＰＡ接続は、インターネットＬＩＰＡ接続と、或いはホームネットワークＬＩＰＡ接続と、或いはユーザローカルＬＩＰＡ接続と、或いは企業ネットワークローカルＬＩＰＡ接続、或いはインターネット業務のトラフィックオフロード作業接続と、或いは特定のＩＰトラフィックオフロード接続とを含むことが好ましい。
【００２０】
ローカルＩＰのアクセス接続プロパティのお知らせ装置であって、
パケットデータネットワークＰＤＮ接続またはベアラの確立過程の中で、ユーザ端末に前記ＰＤＮ接続またはベアラの接続プロパティを確定するための確定ユニット、及び前記ＰＤＮ接続またはベアラの接続プロパティを前記ユーザ端末に知らせるためのお知らせユニットを含む。
【００２１】
前記ＰＤＮ接続の確立過程は、ユーザ付着過程と、前記ユーザ端末から起動したＰＤＮ接続の確立過程と、ＰＤＰコンテキストの活性化過程を含むことが好ましい。
【００２２】
前記ベアラの確立過程は、独自のベアラの確立過程と、端末から起動したリソース改正過程と、ＰＤＰのコンテキストの二次活性化過程を含むことが好ましい。
【００２３】
前記接続は、ＰＤＮ接続或いはＰＤＮ接続におけるベアラであってもよいことが好ましい。
【００２４】
前記接続は、コアネットワーク接続と、或いはローカルＩＰアクセスＬＩＰＡ接続と、或いはユーザローカルＬＩＰＡ接続と、或いは企業ネットワークローカルＬＩＰＡ接続と、或いはインターネット業務のトラフィックオフロード作業接続と、或いは特定のＩＰトラフィックオフロード接続を含むことが好ましい。
【００２５】
前記接続の接続プロパティは、ＬＩＰＡ接続、或いはコアネットワーク接続、或いはインターネットＬＩＰＡ接続、或いはホームネットワークＬＩＰＡ接続、或いはユーザローカルＬＩＰＡ接続、或いは企業ネットワークローカルＬＩＰＡ接続、或いはインターネットサービスのトラフィックオフロード作業接続、或いは特定のＩＰトラフィックオフロード接続であり、及び／または前記ＰＤＮ接続が移動性をサポートするかどうかであることが好ましい。
【００２６】
前記お知らせユニットは、
接続の接続プロパティを、付着し受けメッセージに搭載し、或いはＰＤＮ接続の確立受けメッセージに搭載し、或いはＥＰＳデフォルトベアラコンテキストの活性化メッセージに搭載し、或いはＥＰＳ独自のベアラコンテキスト活性化メッセージに搭載し、或いはパケットデータプロトコルＰＤＰのコンテキスト活性化受けメッセージに搭載し、またはパケットデータプロトコルＰＤＰのコンテキスト二次活性化受けメッセージに搭載し、或いは前記ＰＤＮ接続の接続プロパティに設置する専用ベアラメッセージに搭載するための搭載モジュール、及び前記接続の接続プロパティを搭載するメッセージを送信するための送信モジュールを含むことが好ましい。
【００２７】
前記搭載モジュールは、前記接続の接続プロパティを、具体的に付着し受けメッセージにおける進化パケットシステムＥＰＳの付着結果フィールドに搭載し、或いはＥＰＳデフォルトベアラコンテキスト活性化メッセージにおける原因値フィールドに搭載し、或いはＥＰＳ独自のベアラコンテキスト活性化メッセージにおける新しい原因値フィールドに搭載し、或いはパケットデータプロトコルＰＤＰのコンテキスト活性化受けメッセージにおける原因値フィールドに搭載し、或いはパケットデータプロトコルＰＤＰのコンテキスト二次活性化受けメッセージにおける新しい原因値フィールドに搭載し、または、前記付着し受けメッセージ、前記ＥＰＳデフォルトベアラコンテキスト活性化メッセージ、前記ＥＰＳ独自のベアラコンテキスト活性化メッセージ、パケットデータプロトコルＰＤＰのコンテキスト活性化受けメッセージ或いはパケットデータプロトコルＰＤＰのコンテキスト二次活性化受けメッセージにおける新しい専用フィールドに搭載していることが好ましい。
【００２８】
本発明において、ネットワーク側にある移動性管理実体は、ＵＥに確立しようとする接続を確定した後、該接続の種類及びプロパティ情報を同時にＵＥに知らせ、ＵＥが移動する際に現在接続のプロパティ情報に基づいて、対応するアクセス策略を確定するようにする。本発明の方案は、実現が簡単で、且つ実用である。
〔発明を実施するための最良の形態〕
本発明の基本的な思想は、ネットワーク側の移動性管理実体がＵＥに確立しようとする接続を確定した後、該接続の種類及びプロパティ情報を同時にＵＥに知らせ、ＵＥが移動する際に現在接続のプロパティ情報によって相応のアクセス策略を確定するようにする。本発明の方案は実現が簡単且つ実用である。
【００２９】
本発明において、接続がＰＤＮ接続であってもよく、ＰＤＮ接続におけるベアラであってもよい。
【００３０】
本発明において、ローカルＩＰアクセスは、ローカルＩＰアクセスユーザのローカルネットワーク、ローカルＩＰアクセス会社のローカルネットワーク、ローカルＩＰアクセスのインターネット、インターネットサービスのトラフィックオフロード作業、特定のＩＰトラフィックオフロードであってもよい。
【００３１】
本発明の目的、技術方案とメリットをよりはっきりと知らせるために、以下で、実施例を挙げて図面を参照して、本発明についてさらに詳細に説明する。
【００３２】
図３は、本発明におけるローカルＩＰアクセス接続プロパティのお知らせ方法に係る実施例１のフローチャートであり、図３に示すように、本例示のローカルＩＰアクセス接続プロパティのお知らせ方法は、以下のステップを含んでいる。
【００３３】
ステップ３０１で、ＵＥは、通信する前にシグナリングメッセージ或いはサービスデータのベアラとして無線リソース制御（ＲＲＣ：Radio Resource Control）接続を確立する必要がある。
【００３４】
ステップ３０２で、ＵＥは、初期化非アクセス層（ＮＡＳ：Non Access Stratum）メッセージ（付着要求メッセージ）を送信して付着作業を行う。
【００３５】
ステップ３０３で、無線側ネットワークエレメント（或いはホーム基地局）は、初期のユーザメッセージを移動性管理実体に送信し、付着要求を移動性管理実体に転送する。ホーム基地局ゲートウェイが存在すると、先にホーム基地局ゲートウェイに転送し、そして、ホーム基地局ゲートウェイによりメッセージを移動性管理実体に送信する。ＬＴＥシステムにおいて、移動性管理実体がＭＭＥである。
【００３６】
ステップ３０４で、移動性管理実体は、ユーザに対する認証フローを起動し、必要に応じて移動性管理実体がＨＳＳとの間に認証関連情報を交換し、認証が成功してから、移動性管理実体は、位置更新フローを起動し、ＨＳＳは、ユーザの契約データを移動性管理実体に送信する。
【００３７】
ステップ３０５で、移動性管理実体は、アクセスポイント名（ＡＰＮ：Access Point Name）或いはローカルアクセス標識（これらの標識はステップ３０３におけるメッセージで携えてもよい）、ユーザの契約情報或いはオペレータ策略等に基づいて、ローカルＩＰ接続（ＬＩＰＡ接続）を確立する必要があるかどうかを検査する。ＬＩＰＡ接続を確立する必要があると、無線側ネットワークエレメント／ホーム基地局ゲートウェイに位置するＬ−ＰＧＷとＬ−ＳＧＷを選択してユーザにサービスし、Ｌ−ＳＧＷへデフォルトベアラの確立フローを起動する。
【００３８】
このとき、ＭＭＥは、接続を確立している接続プロパティがＬＩＰＡ接続であることを設置して記憶する必要がある。ＭＭＥは、さらに、この接続が具体的にインターネットＬＩＰＡ接続、ホームネットワークＬＩＰＡ接続、ユーザローカルＬＩＰＡ接続、企業ネットワークＬＩＰＡ接続、インターネットサービスのトラフィックオフロード作業接続或いは特定のＩＰトラフィックオフロード接続のうちのどちらかであるかを判断でき、この情報を記憶する。ＭＭＥは、さらに、ＡＰＮ、或いはローカルアクセス標識、或いはオペレータ策略、或いは契約情報に基づいて、ユーザが確立している接続が移動性、即ち業務連続性をサポートするかどうかを判断し、この情報を記憶する。
【００３９】
ＭＭＥは、コアネットワーク接続を確立する必要があると判断すると、接続プロパティをコアネットワーク接続に設置することができる。
【００４０】
ステップ３０６で、デフォルトベアラを成功に確立してから、移動性管理実体は、無線側ネットワークエレメントにコンテキストの確立要求を送信し、該メッセージにはＮＡＳメッセージ、付着し受けメッセージを携え、同時に、付着し受けメッセージにおいて、またＥＰＳデフォルトベアラコンテキストの活性化メッセージも携えている。ホーム基地局ゲートウェイが存在すると、先にこのメッセージをホーム基地局ゲートウェイに転送し、さらにホーム基地局ゲートウェイによりメッセージを無線側ネットワークエレメントに送信する。このとき、移動性管理実体は、ステップ３０５で判断した接続プロパティを付着し受けメッセージに携える。
【００４１】
ここで、接続プロパティは、付着し受けメッセージにおけるＥＰＳ付着結果フィールドに搭載されてもよく、ＥＰＳデフォルトベアラコンテキスト活性化メッセージにおける原因値フィールドに搭載されてもよい。或いは上記メッセージに新しいフィールドを増加することによって接続プロパティを搭載する。或いは、接続プロパティを搭載する新しい専用メッセージを設置している。
【００４２】
ここで、接続プロパティは、ＬＩＰＡ接続、インターネットＬＩＰＡ接続、ホームネットワークＬＩＰＡ接続、ユーザローカルＬＩＰＡ接続或いは企業ネットワークＬＩＰＡ接続、インターネットサービスのトラフィックオフロード作業接続、特定のＩＰトラフィックオフロード接続に接続されたものであり、及び／または移動性をサポートするかどうかである。接続プロパティはコアネットワーク接続であってもよい。
【００４３】
ステップ３０７で、ＲＲＣ接続の配置過程を実行する。
【００４４】
ステップ３０８で、付着し受けメッセージ及びＥＰＳデフォルトベアラコンテキストの活性化メッセージを単独でＵＥに送信する。同時に、メッセージには携えられた接続プロパティもＵＥに転送される。ＵＥは、得た接続プロパティを記憶する。
【００４５】
ステップ３０９で、無線側ネットワークエレメントは、移動性管理実体の初期コンテキストの確立応答を返信させる。ホーム基地局ゲートウェイが存在すると、先にホーム基地局ゲートウェイに転送し、さらにホーム基地局ゲートウェイによりメッセージを移動性管理実体に送信する。
【００４６】
ステップ３１０で、ＵＥは、無線側ネットワークエレメントに直接転送メッセージを送信し、付着終了情報を含んでいる。
【００４７】
ステップ３１１で、無線側ネットワークエレメントは、移動性管理実体に付着終了情報を送信する。ホーム基地局ゲートウェイが存在すると、先にホーム基地局ゲートウェイに転送し、さらにホーム基地局ゲートウェイによりメッセージを移動性管理実体に送信する。
【００４８】
ステップ３１２で、移動性管理実体は、ベアラ更新フローを実行する。
本例示において、ローカルアクセスゲートウェイは、Ｌ−ＰＧＷとＬ−ＳＧＷであり、且つＬ−ＳＧＷは無線側ネットワークエレメント／ホーム基地局ゲートウェイのところに位置する。Ｌ−ＳＧＷが存在しない場合について、付着フローは、該フローと同様であり、ただ、ＭＭＥは、直接にＬ−ＰＧＷとメッセージ交換を行う必要がある以外、フローではＬ−ＳＧＷが参加しなく、ここで詳しく説明しない。Ｌ−ＳＧＷがコアネットワークに位置する時に対して、ＭＭＥがコアネットワークのＳＧＷとメッセージ交換を行う必要がある以外、付着フローがこのフローと同様であり、ここで詳しく説明しない。
【００４９】
図４は、本発明におけるローカルＩＰアクセス接続プロパティのお知らせ方法に係る実施例２のフローチャートであり、図４に示すように、本例示のローカルＩＰアクセス接続プロパティのお知らせ方法は、以下のステップを含む。
【００５０】
ステップ４０１で、ユーザは、すでにネットワークに付着しており、コアネットワークＰＤＮ接続を有する。
【００５１】
ステップ４０２で、ＵＥは、無線側ネットワークエレメントを介して移動性管理実体にＰＤＮ接続要求を起動する。ホーム基地局ゲートウェイが存在すると、先にホーム基地局ゲートウェイに転送し、さらにホーム基地局ゲートウェイによりメッセージを移動性管理実体に送信する。その中に、ＬＴＥシステムにおいて、移動性管理実体がＭＭＥである。
【００５２】
ステップ４０３で、移動性管理実体は、ＡＰＮ、或いはローカルアクセス標識（これらの標識はステップ４０２のメッセージに携えられてもよい）、ユーザの契約情報或いはオペレータ策略等に基づいて、ローカルＩＰ接続（ＬＩＰＡ接続）を確立する必要があるかどうかを検査する。ＬＩＰＡ接続を確立する必要があると、無線側ネットワークエレメント／ホーム基地局ゲートウェイに位置するＬ−ＰＧＷとＬ−ＳＧＷを選択してユーザにサービスし、Ｌ−ＳＧＷへ会話確立フローを起動する。
【００５３】
このとき、ＭＭＥは、確立している接続の接続プロパティがＬＩＰＡ接続であること設置して記憶する必要がある。ＭＭＥは、さらに、この接続が具体的にインターネットＬＩＰＡ接続、ホームネットワークＬＩＰＡ接続、ユーザローカルＬＩＰＡ接続、企業ネットワークＬＩＰＡ接続、インターネットサービスのトラフィックオフロード作業接続或いは特定のＩＰトラフィックオフロード接続のうちのどちらかであるかを判断でき、この情報を記憶する。同時に、ＭＭＥは、さらに、ＡＰＮ、或いはローカルアクセス標識、或いはオペレータ策略、或いは契約情報に基づいて、ユーザで確立している接続が移動性、即ち業務連続性をサポートするかどうかを判断し、この情報を記憶する。ＭＭＥは、コアネットワーク接続を確立する必要があると判断し、接続プロパティをコアネットワーク接続に設置することができる。
【００５４】
ステップ４０４で、移動性管理実体は、会話を成功に確立した後、無線側ネットワークエレメントにベアラ確立要求を送信し、該メッセージにはＮＡＳメッセージ、ＰＤＮ接続の確立受けメッセージ（或いはＥＰＳデフォルトベアラコンテキストの活性化メッセージ）を携える。ホーム基地局ゲートウェイが存在すると、先にホーム基地局ゲートウェイに転送し、さらに、ホーム基地局ゲートウェイにより上記メッセージを無線側ネットワークエレメントに送信する。このとき、移動性管理実体は、ステップ４０３で判断した接続プロパティをＰＤＮ接続の確立受けメッセージ（或いはＥＰＳデフォルトベアラコンテキストの活性化メッセージ）に携えている。
【００５５】
本ステップにおいて、接続プロパティは、ＰＤＮ接続の確立受けメッセージにおける従来のフィールドに搭載され、或いはＥＰＳデフォルトベアラコンテキストの活性化メッセージにおける原因値フィールドに搭載され、或いは上記メッセージに新しいフィールドを増加することによって連続プロパティを搭載する。或いは、接続プロパティを搭載する新しい専用メッセージを設置する。
【００５６】
移動性管理実体が送信した接続プロパティは、ＬＩＰＡ接続、インターネットＬＩＰＡ接続、ホームネットワークＬＩＰＡ接続、ユーザローカルＬＩＰＡ接続、企業ネットワークＬＩＰＡ接続、インターネットサービスの分布作業接続或いは特定のＩＰデータ分布接続に接続されたものであり、及び／または移動性をサポートするかどうかである。接続プロパティはさらにコアネットワーク接続であってもよい。
【００５７】
ステップ４０５で、ＲＲＣ接続の配置過程を実行する。
【００５８】
ステップ４０６で、ＰＤＮ接続の確立受けメッセージ（或いはＥＰＳデフォルトベアラコンテキストの活性化メッセージ）を単独でＵＥに送信する。同時に、メッセージには携えている接続プロパティもＵＥに転送される。ＵＥは、得た接続プロパティを記憶する。
【００５９】
ステップ４０７で、無線側ネットワークエレメントは、移動性管理にベアラ確立応答を返信させる。ホーム基地局ゲートウェイが存在すると、先にホーム基地局ゲートウェイに転送し、さらにホーム基地局ゲートウェイによりメッセージを移動性管理実体に送信する。
【００６０】
ステップ４０８で、ＵＥは、無線側ネットワークエレメントに直接転送メッセージを送信し、ＰＤＮ接続の確立終了メッセージを含んでいる。
【００６１】
ステップ４０９で、無線側ネットワークエレメントは、移動性管理実体にＰＤＮ接続の確立終了メッセージを送信する。ホーム基地局ゲートウェイが存在すると、先にホーム基地局ゲートウェイに転送し、さらにホーム基地局ゲートウェイにより上記メッセージを移動性管理実体に送信する。
【００６２】
ステップ４１０で、移動性管理実体は、ベアラ更新フローを実行する。
例示において、ローカルアクセスゲートウェイは、Ｌ−ＰＧＷとＬ−ＳＧＷであり、且つ、Ｌ−ＳＧＷは、無線側ネットワークエレメント／ホーム基地局ゲートウェイのところに位置する。Ｌ−ＳＧＷが存在しない場合について、ＭＭＥは、ただ直接にＬ−ＰＧＷとメッセージ交換を行う必要がある以外、ＰＤＮ接続の確立フローが該フローと同様であり、フローでは、Ｌ−ＳＧＷが参加することはなく、ここで詳しく説明しない。Ｌ−ＳＧＷがコアネットワークに位置する場合について、ＭＭＥがコアネットワークのＳＧＷとメッセージ交換を行う必要がある以外、ＰＤＮ接続の確立フローがこのフローと同様であり、ここで詳しく説明しない。
【００６３】
図５は本発明におけるローカルＩＰアクセス接続プロパティのお知らせ方法に係る実施例３のフローチャートであり、図５に示すように、本例示のローカルＩＰアクセス接続プロパティのお知らせ方法は、以下のステップを含んでいる。
【００６４】
ステップ５０１で、ＵＥは、付着フローを実行することによって、成功にネットワークに付着されている。
【００６５】
ステップ５０２で、ＵＥは、無線側ネットワークエレメントによってＰＤＰコンテキスト活性化メッセージを移動性管理実体ＳＧＳＮに送信する。ホーム基地局ゲートウェイが存在すると、先にホーム基地局ゲートウェイに転送し、さらにホーム基地局ゲートウェイによりメッセージを移動性管理実体に送信する。その中に、ＵＴＲＡＮシステムにおいて、移動性管理実体がＳＧＳＮである。
【００６６】
ステップ５０３で、移動性管理実体は、ＡＰＮ或いはローカルアクセス標識（これらの標識はステップ５０２におけるメッセージで携帯されてもよい）、ユーザ契約情報或いはオペレータ策略等に基づいて、ローカルＩＰ接続（ＬＩＰＡ接続）を確立する必要があるかどうかを検査する。ＬＩＰＡ接続を確立する必要があると、無線側ネットワークエレメント／ホーム基地局ゲートウェイに位置するＬ−ＧＧＳＮを選択してユーザにサービスする。ＳＧＳＮはＬ−ＧＧＳＮにＰＤＰコンテキスト確立要求を送信する。
【００６７】
このとき、ＳＧＳＮは、確立している接続の接続プロパティがＬＩＰＡ接続であることを設置して記憶する必要がある。ＳＧＳＮは、さらに、この接続が具体的にインターネットＬＩＰＡ接続、ホームネットワークＬＩＰＡ接続、ユーザローカルＬＩＰＡ接続、企業ネットワークＬＩＰＡ接続、インターネットサービスのトラフィックオフロード作業接続或いは特定のＩＰトラフィックオフロード接続のうちのどちらかであるかを判断でき、この情報を記憶する。同時に、ＳＧＳＮは、さらに、ＡＰＮ、或いはローカルアクセス標識、或いはオペレータ策略、或いは契約情報に基づいて、ユーザが確立している接続が移動性、即ち業務連続性をサポートするかどうかを判断し、この情報を記憶する。ＳＧＳＮは、コアネットワーク接続を確立する必要があると判断すると、接続プロパティをコアネットワーク接続に設置することができる。
【００６８】
ステップ５０４で、ＳＧＳＮから送信したメッセージを受信すると、Ｌ−ＧＧＳＮはＳＧＳＮにＰＤＰコンテキストの確立応答を返信させる。
【００６９】
ステップ５０５で、無線アクセスベアラの確立フローを実行する。
【００７０】
ステップ５０６で、ＳＧＳＮは、Ｌ−ＧＧＳＮにＰＤＰコンテキストの更新要求を送信し、Ｌ−ＧＧＳＮが改正した後のＱｏＳパラメータを知らせることが可能である。
【００７１】
ステップ５０７で、Ｌ−ＧＧＳＮは、ＳＧＳＮにＰＤＰコンテキストの更新応答を返信させる。
【００７２】
ステップ５０８で、ベアラを成功に確立してから、移動性管理実体は、無線側ネットワークエレメントによってＵＥにＰＤＰコンテキストの活性化受けメッセージを送信する。ホーム基地局ゲートウェイが存在すると、先にホーム基地局ゲートウェイに転送し、さらにホーム基地局ゲートウェイにより該メッセージを無線側ネットワークエレメントに送信する。このとき、移動性管理実体は、ステップ５０３で判断した接続プロパティをＰＤＰコンテキストの活性化受けメッセージに携えてＵＥに送信する。本ステップにおいて、接続プロパティは、ＰＤＰコンテキストの活性化受けメッセージにおける原因値フィールドに搭載される。或いは上記メッセージには新しいフィールドを増加することによって搭載する。或いは、接続プロパティを搭載する新しい専用メッセージを設置する。
【００７３】
ＳＧＳＮが確定した接続プロパティは、ＬＩＰＡ接続、インターネットＬＩＰＡ接続、ホームネットワークＬＩＰＡ接続、ユーザローカルＬＩＰＡ接続、企業ネットワークＬＩＰＡ接続、インターネットサービスのトラフィックオフロード作業接続或いは特定のＩＰトラフィックオフロード接続に接続されたものであり、及び／または移動性をサポートするかどうかである。接続プロパティは、さらにコアネットワーク接続であってもよい。
【００７４】
単一のＰＤＮ接続のみをサポートする端末について、同じのＰＤＮ接続で異なる接続プロパティのベアラを確立することによって同時にコアネットワークアクセスとローカルＩＰアクセスを実現することができる。ユーザ（ここでユーザを強調する必要がなくて端末を説明するだけでよい）端末がリソース改正フローを起動し、或いはネットワーク側が独自のベアラの確立フロー、或いはＰＤＰコンテキストの二次活性化フローを起動する際に、移動性管理実体或いはローカルゲートウェイは、ベアラが運搬した接続プロパティをユーザ（同上）端末に知らせる必要がある。ユーザ（同上）端末は、リソース改正フローを起動し、及びネットワーク側が独自のベアラの確立フローを起動する中に、移動性管理実体或いはローカルゲートウェイは、ベアラが運搬した接続プロパティをＥＰＳ独自のベアラコンテキストの活性化メッセージにおける新しい原因値フィールド、或いは新しい専用フィールドに搭載する。ＰＤＰコンテキスト二次活性化フローにおいて、移動性管理実体或いはローカルゲートウェイはベアラが運搬した接続プロパティをＰＤＰコンテキストの二次活性化受けメッセージにおける新しい原因値フィールド、或いは新しい専用フィールドに搭載する。上記３つのフローにおいて、いずれも新しい専用ベアラメッセージを用いても良い。
【００７５】
ベアラが運搬した接続プロパティは、ＬＩＰＡ接続、インターネットＬＩＰＡ接続、ホームネットワークＬＩＰＡ接続、ユーザローカルＬＩＰＡ接続、企業ネットワークＬＩＰＡ接続、インターネットサービスのトラフィックオフロード作業接続或いは特定のＩＰトラフィックオフロード接続に接続されたものであり、及び／または移動性をサポートするかどうかである。接続プロパティはさらにコアネットワーク接続であってもよい。
【００７６】
上記実施例において、移動性管理実体は、移動管理エンティティＭＭＥと、モバイルスイッチングセンターＭＳＣ或いはサービスＧＰＲＳサポートノードＳＧＳＮ等を含んでいる。
【００７７】
上記実施例において、接続プロパティは、いずれも移動性管理実体によって送信されたものであり、該プロパティは、ローカルゲートウェイによって送信されてもよく、そのフローは、上記実施例と同様であり、ここで詳しく説明しない。
【００７８】
図６は、本発明におけるローカルＩＰのアクセス接続プロパティのお知らせ装置の組成構造の模式図であり、図６に示すように、本発明におけるローカルＩＰのアクセス接続プロパティのお知らせ装置は、確定ユニット６０とお知らせユニット６１を含み、その中に、確定ユニット６０は、接続を確立する過程の中で、ユーザ端末に上記ＰＤＮ接続またはベアラの接続プロパティを確定することに用いられ、上記接続は、コアネットワーク接続或いはローカルＩＰアクセスＬＩＰＡ接続を含む。ローカルＩＰアクセスＬＩＰＡ接続は、インターネットＬＩＰＡ接続と、ホームネットワークＬＩＰＡ接続と、ユーザローカルＬＩＰＡ接続と、企業ネットワークＬＩＰＡ接続と、インターネットサービスのトラフィックオフロード作業接続或いは特定のＩＰトラフィックオフロード接続を含んでいる。上記接続及びベアラが運搬した接続プロパティは、ＬＩＰＡ接続であり、或いは接続プロパティがインターネットＬＩＰＡ接続、ホームネットワークＬＩＰＡ接続、ユーザローカルＬＩＰＡ接続、企業ネットワークＬＩＰＡ接続、インターネットサービスの分布作業接続或いは特定のＩＰデータ分布接続であり、或いは接続プロパティがコアネットワーク接続であり、及び／または上記接続は移動性をサポートするかどうかである。お知らせユニット６１は、上記接続の接続プロパティを上記ユーザ端末に知らせることに用いられる。
【００７９】
図７は、本発明におけるローカルＩＰのアクセス接続プロパティのお知らせ装置のお知らせユニットの組成構造の模式図であり、図７に示すように、本発明におけるお知らせユニット６１は、搭載モジュール６１０と送信モジュール６１１とを含み、その中に、搭載モジュール６１０は、接続の接続プロパティを付着し受けメッセージに搭載し、或いはＰＤＮ接続の確立受けメッセージに搭載し、或いはＥＰＳデフォルトベアラコンテキストの活性化メッセージに搭載し、或いはＥＰＳ独自のベアラコンテキストの活性化メッセージに搭載し、或いはパケットデータプロトコルＰＤＰコンテキストの活性化受けメッセージに搭載し、或いはパケットデータプロトコルＰＤＰコンテキストの二次活性化受けメッセージに搭載し、或いは、上記接続の接続プロパティに設置した専用ベアラメッセージに搭載することに用いられ、具体的に、搭載モジュール６１０は、上記接続の接続プロパティを具体的に付着し受けメッセージにおける進化パケットシステムＥＰＳの付着結果フィールドに搭載し、或いはＥＰＳデフォルトベアラコンテキストの活性化メッセージにおける原因値フィールドに搭載し、或いはＥＰＳ独自のベアラコンテキストの活性化メッセージにおける新しい原因値フィールドに搭載し、或いはパケットデータプロトコルＰＤＰコンテキストの活性化受けメッセージにおける原因値フィールドに搭載し、或いはパケットデータプロトコルＰＤＰコンテキストの二次活性化受けメッセージにおける新しい原因値フィールドに搭載し、或いは上記付着し受けメッセージ、上記ＥＰＳデフォルトベアラコンテキスト活性化メッセージ、上記ＥＰＳ独自のベアラコンテキストの活性化メッセージ、パケットデータプロトコルＰＤＰコンテキストの活性化受けメッセージ、或いはパケットデータプロトコルＰＤＰコンテキストの二次活性化受けメッセージにおける新しい専用フィールドに搭載することに用いられる。送信モジュール６１１は、上記接続のプロパティを搭載するメッセージを送信することに用いられる。
【００８０】
上記接続がＰＤＮ接続或いはＰＤＮ接続におけるベアラであり、その中に、上記ＰＤＮ接続の確立過程は、ユーザ付着過程と、上記ユーザ端末から起動したＰＤＮ接続の確立過程と、ＰＤＰコンテキストの活性化過程を含み、上記ＰＤＮ接続におけるベアラの確立過程は、独自のベアラの確立過程と、ユーザ端末から起動したリソース改正過程と、ＰＤＰコンテキストの二次活性化過程を含んでいる。
【００８１】
当業者は、図６に示すローカルＩＰのアクセス接続プロパティのお知らせ装置が、上述のローカルＩＰアクセス接続プロパティのお知らせ方法を実現するために設置したものであり、図６に示す装置において、各ユニット及び各モジュールの機能については、図３〜図５に示す方法の説明を参照して理解でき、各ユニット及び各モジュールの機能は、プロセッサには運転するプログラフによって実現してもよく、具体的なロジック回路によって実現してもよいことが分る。
【００８２】
上述したような内容は、本発明の保護範囲を制限するものではなく、本発明の好ましい実施例に過ぎない。
【図面の簡単な説明】
【００８３】
【図１】ＥＰＳのシステムアーキテクチャの模式図である。
【図２】ローカルＩＰアクセスと従来のコアネットワークＩＰアクセスのデータストリーム経路の模式図である。
【図３】本発明におけるローカルＩＰアクセス接続プロパティのお知らせ方法に係る実施例１のフローチャートである。
【図４】本発明におけるローカルＩＰアクセス接続プロパティのお知らせ方法に係る実施例２のフローチャートである。
【図５】本発明におけるローカルＩＰアクセス接続プロパティのお知らせ方法に係る実施例３のフローチャートである。
【図６】本発明におけるローカルＩＰのアクセス接続プロパティのお知らせ装置の組成構造の模式図である。
【図７】本発明におけるローカルＩＰのアクセス接続プロパティのお知らせ装置のお知らせユニットの組成構造の模式図である。
【図３】
0005497896.tif 000002
【図４】
0005497896.tif 000003
【図５】
0005497896.tif 000004
【図１】
0005497896.tif 000005
【図２】
0005497896.tif 000006
【図６】
0005497896.tif 000007
【図７】
0005497896.tif 000008